(57)【要約】【課題】狭い空間にも設置でき軽量で組み立てが容易でアプローチショットの方向性を正確に把握することが可能なゴルフ練習装置を提供することを目的とする。【解決手段】支持部から鉛直に伸び先端に前方に水平に伸びる水平部を有する支柱と、水平部の中間部に固定具により固定される水平に横方向に伸びネットを支持するネット支持部材と、水平部のネット支持部材の前方に支持され横方向に伸び複数の固定滑車を回転自在に軸支した固定滑車支持部材と、複数の固定滑車の間の下部に配置され錘を連結した緊張動滑車と、固定滑車に対応する支持部の位置に配置されるボール位置確認糸固定部材と、一端を各ボール位置確認糸固定部材に固定され固定滑車、緊張動滑車、固定滑車、支持部のボール位置確認糸固定部材の順に巻き回されて鉛直に伸び一定間隔で複数配置されるボール位置確認糸と、一端をボール追跡糸固定部材に固定されたボール追跡糸に連結される練習ボールと、を備えることを特徴とする。【選択図】図３
2018114014.tif 000002
【特許請求の範囲】
【請求項１】
支持部から鉛直に伸び先端に前方に水平に伸びる水平部を有する支柱と、
水平部の中間部に固定具により固定される水平に横方向に伸びネットを支持するネット支持部材と、
水平部のネット支持部材の前方に支持され横方向に伸び複数の固定滑車を回転自在に軸支した固定滑車支持部材と、
複数の固定滑車の間の下部に配置され錘を連結した緊張動滑車と、
固定滑車に対応する支持部の位置に配置されるボール位置確認糸固定部材と、
一端を各ボール位置確認糸固定部材に固定され固定滑車、緊張動滑車、固定滑車、支持部のボール位置確認糸固定部材の順に巻き回されて鉛直に伸び一定間隔で複数配置されるボール位置確認糸と、
一端をボール追跡糸固定部材に固定されたボール追跡糸に連結される練習ボールと、
を備えることを特徴とするゴルフ練習装置。
【請求項２】
支持部を支持台とし全体を小型化したユニットとし室内練習可能とすることを特徴とする請求項１に記載のゴルフ練習装置。
【発明の詳細な説明】
【技術分野】
【０００１】
本発明は、ゴルフ練習装置、特にアプローチショットの練習に好適なゴルフ練習装置に関する。
【背景技術】
【０００２】
ゴルフ練習用の器具，用具は種々提案されているが、その多くは、フルスイングを意図した屋外用のもの、或いは、パット（パター）の練習を意図した屋内用のものであり、ショートアイアンを用いたアプローチの練習を意図したものはなく、前述のフルスイングを意図した屋外用のものをそのまま利用して練習している。
【０００３】
しかし、ゴルフの上達には、ショートアイアンを用いたアプローチの練習は不可欠であり、多くのゴルフ愛好家は、そのための練習に多くの時間を費やしている。
【０００４】
特開２０００−１６７０９６号公報には、左右の縦枠と、少なくとも２箇所に屈折部を有する上下の横枠と、これら縦枠と横枠によって構成される枠内に張設されたネットとからなるバックネット部材と、上端部が前記横枠の長さに略等しい伸縮自在のバーに吊架され、かつ、該バーから更に延長する延長部を有し、前記縦枠の長さに比して相当量短い縦幅のフロントネット部材と、中央部に前記バックネット部材の縦枠が挿入され該縦枠を立設する第１のポールと、先端部に前記フロントネット部材の縦幅の長さに略等しい長さを有し、かつ、上端部に前記フロントネット部材の前記バーを係止す第２のポールを有する２本の基台とを有する狭い場所でもアプローチショットの練習が可能な装置が提案されている。
【先行技術文献】
【特許文献】
【０００５】
【特許文献１】特開２０００−１６７０９６号公報
【発明の概要】
【発明が解決しようとする課題】
【０００６】
アプローチショットは飛距離と方向性の微妙な精度が要求されるが、従来技術のアプローチショットの練習装置は打ったボールの飛んだ方向が明確に判断できないという問題を有していた。
【０００７】
本発明は、前記従来技術の持つ課題を解決するもので、狭い空間にも設置でき軽量で組み立てが容易でアプローチショットの方向性を正確に把握することが可能なゴルフ練習装置を提供することを目的とする。
【課題を解決するための手段】
【０００８】
本発明のゴルフ練習装置は、前記課題を解決するために、支持部から鉛直に伸び先端に前方に水平に伸びる水平部を有する支柱と、水平部の中間部に固定具により固定される水平に横方向に伸びネットを支持するネット支持部材と、水平部のネット支持部材の前方に支持され横方向に伸び複数の固定滑車を回転自在に軸支した固定滑車支持部材と、複数の固定滑車の間の下部に配置され錘を連結した緊張動滑車と、固定滑車に対応する支持部の位置に配置されるボール位置確認糸固定部材と、一端を各ボール位置確認糸固定部材に固定され固定滑車、緊張動滑車、固定滑車、支持部のボール位置確認糸固定部材の順に巻き回されて鉛直に伸び一定間隔で複数配置されるボール位置確認糸と、一端をボール追跡糸固定部材に固定されたボール追跡糸に連結される練習ボールと、を備えることを特徴とする。
【０００９】
また、本発明のゴルフ練習装置は、支持部を支持台とし全体を小型化したユニットとし室内練習可能とすることを特徴とす。
【発明の効果】
【００１０】
支持部から鉛直に伸び先端に前方に水平に伸びる水平部を有する支柱と、水平部の中間部に固定具により固定される水平に横方向に伸びネットを支持するネット支持部材と、水平部のネット支持部材の前方に支持され横方向に伸び複数の固定滑車を回転自在に軸支した固定滑車支持部材と、複数の固定滑車の間の下部に配置され錘を連結した緊張動滑車と、固定滑車に対応する支持部の位置に配置されるボール位置確認糸固定部材と、一端を各ボール位置確認糸固定部材に固定され固定滑車、緊張動滑車、固定滑車、支持部のボール位置確認糸固定部材の順に巻き回されて鉛直に伸び一定間隔で複数配置されるボール位置確認糸と、一端をボール追跡糸固定部材に固定されたボール追跡糸に連結される練習ボールと、を備えることで、狭い空間にも設置でき軽量で組み立てが容易でアプローチショットの方向性を正確に把握することが可能になる。
支持部を支持台とし全体を小型化したユニットとし室内練習可能とすることをことで、簡単に室内でアプローチショットの練習が可能なゴルフ練習装置とすることが可能になる。
【図面の簡単な説明】
【００１１】
【図１】本発明の実施形態を示す図である。
【図２】本発明の他の実施形態を示す図である。
【図３】本発明の他の実施形態を示す図である。
【発明を実施するための形態】
【００１２】
本発明の実施の形態を図により説明する。図１、図２、図３は、アプローチショット用の組み立て式のゴルフ練習装置を示す図である。
【００１３】
アプローチショットの練習のためのゴルフ練習装置１は、地面等の支持部２に設置される鉛直方向に伸びる支柱３を備えている。支柱３の下部には、支持部２に安定して設置するためのベース４を備えている。
【００１４】
支柱３の上端には、前方に水平に伸びる水平部３ａが形成される。水平部３ａの中間部に固定具５を介して横方向に水平に伸びるネット支持部材６が着脱可能に固定される。
【００１５】
ネット支持部材６には、予めネット７を取り付けておいても良いし、ネット支持部材６に複数のフックを取り付けておき、ネット支持部材６を支柱３の水平部３ａに固定した後、ネット７をフックに引っかけて設置しても良い。
【００１６】
支柱３の水平部３ａの先端に吊ロープ８の中央部が固定され、吊ロープ８の両端が固定滑車支持部材９の両端に連結され、固定滑車支持部材９が吊下げ支持される。固定滑車支持部材９を水平部３ａの先端に固定部材を介して直接固定しても良い。固定滑車支持部材９には、複数の固定滑車１０が回転自在に軸支される。
【００１７】
隣り合う１組の固定滑車１０間の下方位置に錘１１を取り付けた緊張動滑車１２が配置される。固定滑車１０に対応する支持部２にボール位置確認糸固定部材１３が配置される。
【００１８】
ボール位置確認糸固定部材１３に一端を固定されたボール位置確認糸１４は、固定滑車１０に巻回された後、緊張動滑車１２に巻回され、隣り合う固定滑車１０に巻回された後、ボール位置確認糸固定部材１３に固定される。ボール位置確認糸１４は、緊張動滑車１２の錘１１により鉛直に緊張した状態に張設される。順に隣り合う別組の固定滑車１０にも同様にボール位置確認糸１４を張設する。ボール位置確認糸１４の間隔を等間隔となるように配置する。
【００１９】
一端をボール追跡糸固定部材１５に固定したボール追跡糸１６に練習ボール１７が連結される。ボール追跡糸１６は練習ボールの飛球に影響を与えないためにできる限り細くする。ボール追跡糸１６の長さは、ボール追跡糸固定部材１５からネット７までの距離の１．５倍程度とする。
【００２０】
このような状態にセットされたゴルフ練習装置１で練習ボール１７をショートアイアン等のクラブで打つと、練習ボール１７は、複数のボール位置確認糸１４の間を超え、ネット７に当たり落下する。この時のボール追跡糸１６が通過したボール位置確認糸１４の位置により練習ボール１７が飛んだ方向を確認することができる。
【００２１】
このようなゴルフ練習装置１を１つの台に配置し運搬可能に小型化し室内でアプローチショットの練習が可能なゴルフ練習装置にしても良い。
【００２２】
このように構成されたゴルフ練習装置１によれば、狭い空間にも設置でき軽量で組み立てが容易でアプローチショットの方向性を正確に把握することが可能になる。
【符号の説明】
【００２３】
１：ゴルフ練習装置、２：支持部、３：支柱、３ａ：水平部、４：ベース、５：固定具、６：ネット支持部材、７：ネット、８：吊ロープ、９：固定滑車支持部材、１０：固定滑車、１１：錘、１２：緊張動滑車、１３：ボール位置確認糸固定部材、１４：ボール位置確認糸、１５：ボール追跡糸固定部材、１６：ボール追跡糸、１７：練習ボール
【図１】
2018114014.tif 000003
【図２】
2018114014.tif 000004
【図３】
2018114014.tif 000005